(57)【要約】【課題】利用者がアドレス設定のための操作を行うことなく、確実に、サブネットアドレスを付与することが可能な通信装置および通信システムを得ること。【解決手段】本発明にかかる通信装置は、グループを識別するための第一の識別子と、個々の装置を特定するための第二の識別子と、を含むアドレス体系を有する通信システムにおいて、アドレス（第一の識別子）が設定されていない通信装置であって、第一の識別子を記憶するアドレス記憶部１８と、第一の識別子を設定するための所定の信号の送受信制御を行う制御部２と、を備え、制御部２の制御により、「第一の識別子の通知を要求するための信号」を他の通信装置に対して同報し、その応答として他の通信装置から「第一の識別子を通知するための信号」を受信した場合に、当該信号に含まれた第一の識別子をアドレス記憶部１８に記憶し、以降、当該第一の識別子を自装置の第一の識別子として使用して通信を行う。【選択図】        図１
2008005339.tif 000002
【特許請求の範囲】
【請求項１】
グループを識別するための第一の識別子と、個々の装置を特定するための第二の識別子と、を含むアドレス体系を有する通信システムにおいて、アドレス（第一の識別子）が設定されていない通信装置であって、
前記第一の識別子を記憶する記憶手段と、
前記第一の識別子を設定するための所定の信号の送受信制御を行うアドレス設定制御手段と、
を備え、
前記アドレス設定制御手段の制御により、「第一の識別子の通知を要求するための信号」を他の通信装置に対して同報し、その応答として他の通信装置から「第一の識別子を通知するための信号」を受信した場合に、当該信号に含まれた第一の識別子を前記記憶手段に記憶し、以降、当該第一の識別子を自装置の第一の識別子として使用して通信を行うことを特徴とする通信装置。
【請求項２】
前記記憶手段に第一の識別子を記憶した後、さらに、「第一の識別子を設定する処理が完了したことを通知するための信号」を送信することを特徴とする請求項１に記載の通信装置。
【請求項３】
さらに、第一の識別子を設定する手続き中であることを示す設定手続き中表示手段、
を備え、
前記「第一の識別子の通知を要求するための信号」を送信後、前記アドレス設定制御手段の制御により、第一の識別子を設定する手続き中であることを示す表示を開始し、
その後、前記記憶手段に第一の識別子を記憶した時点で、前記アドレス設定制御手段の制御により、第一の識別子を設定する手続き中であることを示す表示を終了することを特徴とする請求項１または２に記載の通信装置。
【請求項４】
さらに、任意の第一の識別子を発生する第一の識別子発生手段と、
「任意の第一の識別子を通知するための信号」を送信した後に経過した時間を計測するタイマー手段と、
を備え、
前記「第一の識別子を通知するための信号」を受信する前に、前記第一の識別子発生手段が任意の第一の識別子を発生し、前記アドレス設定制御手段の制御により「任意の第一の識別子を通知するための信号」を送信し、
その後、前記タイマー手段を用いて前記経過時間を計測し、予め定められた時間内に「第一の識別子が重複することを通知するための信号」を受信しない場合に、前記発生した任意の第一の識別子を前記記憶手段に記憶し、以降、自装置で発生した第一の識別子を自己の第一の識別子として使用することを特徴とする請求項１、２または３に記載の通信装置。
【請求項５】
さらに、乱数を発生する乱数発生手段、
を備え、
前記第一の識別子発生手段が、前記乱数に基づいて任意の第一の識別子を発生することを特徴とする請求項４に記載の通信装置。
【請求項６】
前記第一の識別子発生手段が、伝送路上の信号電圧をデジタル情報に変換する既知の受信回路内のＡＤコンバータの出力に基づいて任意の第一の識別子を発生することを特徴とする請求項４に記載の通信装置。
【請求項７】
グループを識別するための第一の識別子と、個々の装置を特定するための第二の識別子と、を含むアドレス体系を有する通信システムにおいて、アドレス（第一の識別子）が設定されていない通信装置に対して第一の識別子を通知する通信装置であって、
前記第一の識別子を通知するための所定の信号の送受信制御を行うアドレス通知制御手段、
を備え、
前記第一の識別子が設定されていない通信装置から「第一の識別子の通知を要求するための信号」を受信し、かつ利用者により「第一の識別子を通知するための信号」の送信開始を指示するための操作が行われた場合に、前記アドレス通知制御手段の制御により、自装置の第一の識別子を含めた「第一の識別子を通知するための信号」を送信することを特徴とする通信装置。
【請求項８】
さらに、前記「第一の識別子の通知を要求するための信号」を受信した場合にその後の経過時間を計測するためのタイマー手段、
を備え、
前記「第一の識別子を通知するための信号」の送信開始を指示するための操作が、予め定められた時間内に行われた場合には、前記アドレス通知制御手段の制御による送信処理を行い、
前記操作が行われず、予め定められた時間が経過した場合には、以降、前記操作による送信開始指示を無視し、自装置の第一の識別子の通知を行わないことを特徴とする請求項７に記載の通信装置。
【請求項９】
前記「第一の識別子の通知を要求するための信号」の送信元通信装置から「第一の識別子の設定が完了したことを示す信号」を受信した場合には、以降、前記操作による送信開始指示を無視し、自装置の第一の識別子の通知を行わないことを特徴とする請求項７または８に記載の通信装置。
【請求項１０】
前記「第一の識別子の通知を要求するための信号」の送信元通信装置に対して他の通信装置が送信した「第一の識別子を通知するための信号」を受信した場合には、以降、前記操作による送信開始指示を無視し、自装置の第一の識別子の通知を行わないことを特徴とする請求項７、８または９に記載の通信装置。
【請求項１１】
さらに、「第一の識別子を通知するための信号」を送信したことを示す表示手段、
を備え、
前記「第一の識別子を通知するための信号」を送信後、前記アドレス通知制御手段の制御により、「第一の識別子を通知するための信号」を送信したことを示す表示を開始し、
前記送信した「第一の識別子を通知するための信号」に対応した「第一の識別子の設定が完了したことを通知するための信号」を受信した時点で、前記アドレス通知制御手段の制御により、「第一の識別子を通知するための信号」を送信したことを示す表示を終了することを特徴とする請求項７〜１０のいずれか一つに記載の通信装置。
【請求項１２】
さらに、他の通信装置から「任意に設定した第一の識別子を通知するための信号」を受信した場合に、当該信号に含まれた第一の識別子と自装置の第一の識別子とを比較するアドレス比較手段、
を備え、
前記信号に含まれた第一の識別子と自装置の第一の識別子とが一致した場合に、前記アドレス通知制御手段の制御により、「第一の識別子が重複することを通知するための信号」を送信することを特徴とする請求項７〜１１のいずれか一つに記載の通信装置。
【請求項１３】
前記各第一の識別子が一致した場合であっても、前記「任意に設定した第一の識別子を通知するための信号」に応じて他の通信装置が送信した「第一の識別子が重複することを通知するための信号」を受信した場合、または、「第一の識別子の設定が完了したことを通知するための信号」を受信した場合は、前記「第一の識別子が重複することを通知するための信号」の送信を行わないことを特徴とする請求項１２に記載の通信装置。
【請求項１４】
少なくとも一つの請求項１または２に記載の通信装置と、
少なくとも一つの請求項７〜１０のいずれか一つに記載の通信装置と、
を備えることを特徴とする通信システム。
【請求項１５】
少なくとも一つの請求項３に記載の通信装置と、
少なくとも一つの請求項１１に記載の通信装置と、
を備えることを特徴とする通信システム。
【請求項１６】
少なくとも一つの請求項４、５または６に記載の通信装置と、
少なくとも一つの請求項１２または１３に記載の通信装置と、
を備えることを特徴とする通信システム。
【発明の詳細な説明】
【技術分野】
【０００１】
本発明は、アドレスが設定されていない通信装置に対してサブネットアドレスを付与する通信システムに関するものであり、特に、利用者がアドレス設定のための操作を行うことなく、通信装置に対してサブネットアドレスを付与する通信システムに関するものである。
【背景技術】
【０００２】
たとえば、消費エネルギーの節減，利便性の向上などの目的で、従来から、照明機器や空調機器などの家電機器をネットワークで接続し、これらを自動制御，遠隔操作，動作状態監視を行う技術が提案されている。
【０００３】
上記のような目的のネットワークで使用される通信媒体としては、たとえば、機器間を接続するための新たな信号線の敷設の必要がない電力線通信や無線通信が有望視されている。
【０００４】
また、どのような通信媒体を使用する場合であっても、通信を行う際に個々の機器の識別を行うための識別子（ノードアドレス）が必要となる。また、特に前述の電力線通信や無線通信のように、伝送媒体を分離することで信号の伝達を物理的に遮断することができない通信媒体を使用する場合には、たとえば、家屋毎，世帯毎などを単位としたグループを識別する識別子（サブネットアドレス）を設定し、論理的に信号のフィルタリングを行う手段が必要となる。
【０００５】
さらに、家電機器をネットワークで接続して、これらの機器に対して自動制御，遠隔操作，動作状態監視を行うことによる消費エネルギーの節減や利便性の向上などのメリットを、誰でもが簡単に得られるようにするためには、上記ノードアドレスやサブネットアドレスなど、通信に使用するアドレスを簡単に設定する技術が必須である。
【０００６】
上記通信に使用するアドレスを簡単に設定する方法としては、たとえば、下記特許文献１や下記特許文献２において、ノードアドレスの設定されていない通信装置が、自律的に仮のノードアドレスを設定し、これと同じノードアドレスを使用する装置が同一のサブネットに存在するかどうかを確認するための信号を送信し、一定の時間内に他の通信装置から同じアドレスを使用していることを通知するための信号を受信できない場合に、仮のアドレスを正式なアドレスとして使用する方法が記述されている。
【０００７】
また、下記特許文献３には、アドレスの設定されていない通信装置（被設定機）に簡単にアドレスを付与するために、その被設定機に対してアドレスを設定する装置（設定機）が、自己の所属するサブネットワーク内で使用可能なノードアドレスを検索し、自己のサブネットアドレスなどの情報とともに上記検索結果をサブネットワーク内に同報送信することにより、被設定機に対してサブネットアドレスやノードアドレスを含む通信に必要な情報を通知する方法が記述されている。
【０００８】
【特許文献１】特開２００３−２０９５５１号公報
【特許文献２】特開２００４−４８１７５号公報
【特許文献３】特開２００３−４６５１９号公報
【発明の開示】
【発明が解決しようとする課題】
【０００９】
しかしながら、上記特許文献１および上記特許文献２に記述されているアドレス設定方法では、サブネットアドレスが設定されていることが前提となっており、サブネットアドレスを簡単に設定する方法が示されていない。
【００１０】
また、上記特許文献３に記述されている方法では、アドレスが設定されていない通信装置に対して、既存の装置と同じサブネットアドレスを簡単に付与することは可能であるが、新たなグループを構築する場合に、アドレスが設定されていない通信装置に対して簡単にサブネットアドレスを付与する方法については示されていない。
【００１１】
さらに、上記特許文献３に記述されている方法では、設定機がサブネットアドレスやノードアドレスを含む通信に必要な情報を同報送信し、これを受信したアドレスの設定されていない通信装置が、受信した情報を設定する仕組みであるため、たとえば、新たなグループを構築した直後のように、アドレスの設定されていない装置が複数存在する場合には、それら全てに同じアドレスが設定され、以後の通信が正常に行えなくなる可能性があった。
【００１２】
本発明は、上記に鑑みてなされたものであって、アドレスが設定されていない通信装置に対して既存の通信装置と同じサブネットアドレスを付与したい場合であっても、また、新たなグループを構築しアドレスが設定されていない通信装置に対して他の通信装置と重複しないサブネットアドレスを付与したい場合であっても、利用者がわずらわしいアドレス設定のための操作を行うことなく、確実にアドレスが設定されていない通信装置に対してサブネットアドレスを付与することが可能な通信システムを得ることを目的とする。
【課題を解決するための手段】
【００１３】
上述した課題を解決し、目的を達成するために、本発明にかかる通信装置は、グループを識別するための第一の識別子と、個々の装置を特定するための第二の識別子と、を含むアドレス体系を有する通信システムにおいて、アドレス（第一の識別子）が設定されていない通信装置であって、前記第一の識別子を記憶する記憶手段と、前記第一の識別子を設定するための所定の信号の送受信制御を行うアドレス設定制御手段と、を備え、前記アドレス設定制御手段の制御により、「第一の識別子の通知を要求するための信号」を他の通信装置に対して同報し、その応答として他の通信装置から「第一の識別子を通知するための信号」を受信した場合に、当該信号に含まれた第一の識別子を前記記憶手段に記憶し、以降、当該第一の識別子を自装置の第一の識別子として使用して通信を行うことを特徴とする。
【発明の効果】
【００１４】
この発明によれば、利用者がわずらわしいアドレス設定のための操作を行うことなく、確実にアドレスが設定されていない通信装置に対してサブネットアドレスを付与することができる、という効果を奏する。
【発明を実施するための最良の形態】
【００１５】
以下に、本発明にかかる通信装置および通信システムの実施の形態を図面に基づいて詳細に説明する。なお、この実施の形態によりこの発明が限定されるものではない。
【００１６】
実施の形態１．
図１は、本発明にかかる通信装置の構成例を示す図であり、図示の通信装置１は、制御部２，制御インターフェース３，フレーム生成部５，上位インターフェース６，送信回路７，受信回路１２，フレーム解析部１７，アドレス記憶部１８を備えている。
【００１７】
図１において、制御部２は、通信装置１の内部状態，制御インターフェース３から入力される制御信号，伝送路４から受信した受信信号に含まれる制御情報、などにより通信装置１の動作を制御する演算回路（ＣＰＵなどの演算器）である。フレーム生成部５は、上位インターフェース６から送られてくる送信データ、または制御部２から通知される制御情報送信命令から、伝送路４に送信するデータフレームを生成する。送信回路７は、フレーム生成部５が生成したデータフレームを、伝送路に送信する形式の信号に変換する回路であり、本実施の形態では、マルチキャリアやＯＦＤＭ（Orthogonal  Frequency  Division  Multiplexing）などの変調器８，デジタル信号をアナログ信号に変換するＤＡコンバータ９，送信するアナログ信号中の不要な成分を除去する送信フィルタ１０，送信信号の電力を増幅するための送信アンプ１１、により構成されている。
【００１８】
また、受信回路１２は、伝送路から受信した信号をデータフレームに復元する回路であり、本実施の形態では、受信信号を増幅する受信アンプ１３，受信したアナログ信号から雑音成分を除去する受信フィルタ１４，アナログ信号をデジタル信号に変換するＡＤコンバータ１５，マルチキャリアやＯＦＤＭなどに変調されている信号を復調する復調回路１６、により構成されている。フレーム解析部１７は、受信したデータフレームを解析し、解析結果として得られる制御情報，受信データを制御部２および上位インターフェース６に送信する。アドレス記憶部１８は、装置のアドレスを記憶するためのメモリであり、本実施の形態では、装置のアドレスは、少なくとも装置が属するグループを識別するための第一の識別子と、個々の装置を特定するための第二の識別子と、を含むアドレスを使用する。
【００１９】
図２は、本実施の形態の通信装置が通信に使用するアドレスの形態の一例を示す図である。この例では、アドレスは、２４ビットの長さを持ち、うち上位８ビット（Ａ1Ａ2Ａ3Ａ4Ａ5Ａ6Ａ7Ａ8）がグループ毎に割り当てられる第一の識別子を表し、下位１６ビット（Ｂ11Ｂ2Ｂ3Ｂ4Ｂ5Ｂ6Ｂ7Ｂ8Ｂ9Ｂ10Ｂ11Ｂ12Ｂ13Ｂ14Ｂ15Ｂ16）が同一のグループ内で重複しないよう装置毎に割り当てられる第二の識別子を表す。
【００２０】
また、Ａ1Ａ2Ａ3Ａ4Ａ5Ａ6Ａ7Ａ8＝００００００００は、特定のグループへの割り当てを禁止し、後述する所定の同報機能で送信する場合の宛先アドレスの第一の識別子、アドレスが設定されていない装置が制御情報などを送信する場合の送信元アドレスの第一の識別子、として使用する。
【００２１】
また、Ｂ11Ｂ2Ｂ3Ｂ4Ｂ5Ｂ6Ｂ7Ｂ8Ｂ9Ｂ10Ｂ11Ｂ12Ｂ13Ｂ14Ｂ15Ｂ16＝００００００００００００００００は、特定の装置への割り当てを禁止し、後述する所定の同報機能で送信する場合の宛先アドレスの第二の識別子、アドレスが設定されていない装置が制御情報などを送信する場合の送信元アドレスの第二の識別子、として使用する。
【００２２】
図３は、本実施の形態の通信装置が通信に使用するデータフレームの形態の一例を示す図である。このデータフレームは、通信信号の検出に使用されるプリアンブル，信号を復調する際に復調タイミングの同期をとるための同期コード，データフレームの宛先を指定する宛先アドレス，データフレームの送信元を特定するための送信元アドレス，伝送するデータのサイズを指定するデータ長，個々のデータフレームを識別するためのフレームＩＤ，フレームの種別を識別するためのフレームコード，伝送するデータ、によって構成されている。
【００２３】
フレームＩＤは、８ビットの数値であり、各装置は、初めてデータフレームを送信する際に任意に発生させた値を使用し、以降、データフレームを送信する毎に前回使用したフレームＩＤに１加算した値を使用する。フレームＩＤとして、11111111を使用した後に、データフレームを送信する際には、00000000を使用することとする。
【００２４】
フレームコードは、１ビットの数値であり、一般のデータを伝送する場合には０，他の通信装置の動作を制御するための制御情報を伝送する場合には１、を設定することとする。また、データは、フレームコードが０であるデータフレームでは任意のデータを、フレームコードが１であるデータフレームでは、伝送される制御情報の種類を示す制御コードと、制御情報の種類毎に定められた制御データと、を包含する。
【００２５】
図４は、本実施の形態の通信装置が制御情報を伝送する際のデータフレームのフレームコード以降のフィールドの一例を示す図である。たとえば、「第一の識別子の通知を要求するための信号」は、制御コードに0001を指定し、制御データ付加しない。また、「第一の識別子を通知するための信号」は、制御コードに0010を指定し、制御データは、“対応する「第一の識別子の通知を要求するための信号」のフレームＩＤ”と、通知する“第一の識別子”と、で構成する。また、「第一の識別子の設定が完了したことを通知するための信号」は、制御コードに0011を指定し、制御データは、“対応する「第一の識別子の通知を要求するための信号」のフレームＩＤ”とする。また、「任意の第一の識別子を通知するための信号」は、制御コードに0100を指定し、制御データは、通知する“任意の第一の識別子”とする。また、「第一の識別子が重複することを通知するための信号」は、制御コードに0101を指定し、制御データは、“対応する「任意の第一の識別子を通知するための信号」のフレームＩＤ”とする。
【００２６】
つづいて、本実施の形態の通信装置の動作について説明する。図５は、本実施の形態の通信装置の動作を示すフローチャートである。
【００２７】
まず、制御部２は、通信装置１の電源投入時にアドレス記憶部１８を参照し（ステップＳ１）、装置のアドレスが記憶されていない場合（ステップＳ２，Ｎｏ）、フレーム生成部５に対して、「第一の識別子の通知を要求するための信号」を、他の全ての装置に対して同報する“同報機能”を使用して送信するように、指示する。そして、フレーム生成部５が、「第一の識別子の通知を要求するための信号」のデータフレームを生成し、生成したフレームを送信回路７に送信し、さらに、送信回路７が、フレーム生成部５から受け取ったフレームを変調し、アナログ信号に変換し、不要な成分を除去し、電力を増幅して伝送路４に送信する（ステップＳ３）。
【００２８】
なお、ステップＳ１の処理において、アドレス記憶部１８を参照し、装置のアドレスが記憶されている場合には（ステップＳ２，Ｙｅｓ）、通常動作を行う。
【００２９】
つぎに、通信装置１は、「第一の識別子の通知を要求するための信号」を送信した後、データフレームの受信待ちに移行する（ステップＳ４，Ｎｏ）。そして、上記同報機能に応じて送信されたデータフレームを受信すると（ステップＳ４，Ｙｅｓ）、フレーム解析部１７が、受信したデータフレームを解析し、受信したデータフレームのフレームコードが１であり、制御コードが0010であり、かつ、制御データ中の“対応する「第一の識別子の通知を要求するための信号」のフレームＩＤ”が自己の送信した「第一の識別子の通知を要求するための信号」と同じであった場合（ステップＳ５，Ｙｅｓ）、通知された第一の識別子を自己の第一の識別子としてアドレス記憶部１８に記憶する（ステップＳ６）。
【００３０】
以上のように、本実施の形態においては、アドレスが設定されていない通信装置が、「第一の識別子の通知を要求するための信号」を送信し、これに応じて送信された「第一の識別子を通知するための信号」を受信し、通知された第一の識別子を記憶して以後の通信に使用することとした。これにより、利用者がわずらわしい第一の識別子設定操作を行うことなく、第一の識別子の設定することを可能とし、第一のアドレスの設定を誤る可能性を低減することができる。
【００３１】
実施の形態２．
つづいて、実施の形態２の通信装置について説明する。図６は、実施の形態２の通信装置の動作を示すフローチャートである。なお、通信装置の構成については、前述した実施の形態１の図１と同様である。ここでは、前述した実施の形態１と異なる処理について説明する。
【００３２】
本実施の形態においては、前述した実施の形態１と同様にステップＳ１〜Ｓ６の処理を実行し、さらに、制御部２の制御により、「第一の識別子を設定する処理が完了したことを通知するための信号」を送信する。
【００３３】
このように、本実施の形態においては、実施の形態１の処理に加えて、さらに、「第一の識別子を設定する処理が完了したことを通知するための信号」を送信することとしたので、周辺の装置は、アドレスの設定が完了したことを認識でき、重複して「第一の識別子を通知するための信号」を送信することを抑制することができる。
【００３４】
実施の形態３．
つづいて、実施の形態３の通信装置について説明する。図７は、実施の形態３の通信装置の構成例を示す図である。なお、前述した実施の形態１の図１と同様の構成については同一の符号を付してその説明を省略する。ここでは、前述した実施の形態１と異なる処理について説明する。
【００３５】
図８は、実施の形態３の通信装置の動作を示すフローチャートである。本実施の形態の通信装置１は、プッシュスイッチなどの入力部３０を備え、「第一の識別子の通知を要求するための信号」を受信した後に（ステップＳ２１，Ｎｏ）、入力部３０から「第一の識別子を通知するための信号」の送信開始を指示するための入力が行われると（ステップＳ２１，Ｙｅｓ）、制御部２の制御により、たとえば、フレームコードを１，制御コードを００１０とし、さらに、制御データとして、“対応する「第一の識別子の通知を要求するための信号」のフレームＩＤ”を記述する部分を上記「第一の識別子の通知を要求するための信号」のフレームＩＤとし、“第一の識別子”を記述する部分を自己の第一の識別子とした、「第一の識別子を通知するための信号」を送信する（ステップＳ２２）。これにより、自己の第一の識別子を通知する。
【００３６】
以上のように、本実施の形態においては、入力部３０からの入力をトリガーとして、「第一の識別子の通知を要求するための信号」を受信した通信装置が、自己の第一の識別子を通知することとしたので、当該通信装置の利用者は、わずらわしいアドレス入力の作業を行うことなく、自装置と同じ第一の識別子を新しい装置に与えることができる。
【００３７】
実施の形態４．
つづいて、実施の形態４の通信装置について説明する。図９は、実施の形態４の通信装置の構成例を示す図である。なお、前述した実施の形態３の図７と同様の構成については同一の符号を付してその説明を省略する。ここでは、前述した実施の形態３と異なる処理について説明する。
【００３８】
図１０は、実施の形態４の通信装置の動作を示すフローチャートである。本実施の形態の通信装置１は、「第一の識別子の通知を要求するための信号」を受信した場合に、その後の経過時間を計測するためのタイマー３１を備える。そして、制御部２の制御により、たとえば、「第一の識別子の通知を要求するための信号」を受信した後、予め定められた時間が経過する前に入力部３０から「第一の識別子を通知するための信号」の送信開始が指示された場合には（ステップＳ３１，Ｎｏ、ステップＳ２１，Ｙｅｓ）、前述した実施の形態３と同様に動作する。
【００３９】
一方、ステップＳ３１において、予め定められた時間が経過した場合には（ステップＳ３１，Ｙｅｓ）、以降、入力部３０による入力を無視し、第一の識別子の通知を行わない。
【００４０】
以上のように、本実施の形態においては、「第一の識別子の通知を要求するための信号」を受信した後、予め定められた有効期限が経過した場合、以降「第一の識別子を通知するための信号」の送信開始を指示するための入力を無効とすることとした。これにより、誤入力などによる、利用者の意図しない「第一の識別子を通知するための信号」の送信を防止することができる。
【００４１】
実施の形態５．
つづいて、実施の形態５の通信装置について説明する。図１１は、実施の形態５の通信装置の動作を示すフローチャートである。なお、通信装置の構成については、前述した実施の形態３の図７と同様である。ここでは、前述した実施の形態３または４と異なる処理について説明する。
【００４２】
本実施の形態の通信装置１は、「第一の識別子の通知を要求するための信号」を受信した後、その「第一の識別子の通知を要求するための信号」のフレームＩＤと同じフレームＩＤが制御データのフィールドに記載された「第一の識別子の設定が完了したことを示す信号」を受信する前に、入力部３０から「第一の識別子を通知するための信号」の送信開始を指示された場合（ステップＳ４１，Ｎｏ、ステップＳ２１，Ｙｅｓ）、前述した実施の形態３と同様に動作する。
【００４３】
一方、ステップＳ４１において、「第一の識別子の通知を要求するための信号」を受信した後、その「第一の識別子の通知を要求するための信号」のフレームＩＤと同じフレームＩＤが制御データのフィールドに記載された「第一の識別子の設定が完了したことを示す信号」を受信した場合は（ステップＳ４１，Ｙｅｓ）、以降、入力部３０による入力を無視し、第一の識別子の通知を行わない。
【００４４】
以上のように、本実施の形態においては、「第一の識別子の通知を要求するための信号」を受信した後に、「第一の識別子の設定が完了したことを通知するための信号」を受信した場合には、以後の「第一の識別子を通知するための信号」の送信開始を指示するための入力を無効とすることとした。これにより、誤入力などによる、利用者の意図しない「第一の識別子を通知するための信号」の送信を防止することができる。
【００４５】
実施の形態６．
つづいて、実施の形態６の通信装置について説明する。図１２は、実施の形態６の通信装置の動作を示すフローチャートである。なお、通信装置の構成については、前述した実施の形態４の図９と同様である。ここでは、前述した実施の形態３〜５と異なる処理について説明する。
【００４６】
本実施の形態の通信装置１は、「第一の識別子の通知を要求するための信号」を受信した後、その「第一の識別子の通知を要求するための信号」のフレームＩＤと同じフレームＩＤが制御データのフィールドに記載された「第一の識別子の設定が完了したことを示す信号」を受信する前であって、かつ、予め定められた時間が経過する前に（ステップＳ４１，Ｎｏ、ステップＳ３１，Ｎｏ）、入力部３０から「第一の識別子を通知するための信号」の送信開始を指示された場合（ステップＳ２１，Ｙｅｓ）、前述した実施の形態３と同様に動作する。
【００４７】
一方、ステップＳ４１およびステップＳ３１において、「第一の識別子の通知を要求するための信号」を受信した後、その「第一の識別子の通知を要求するための信号」のフレームＩＤと同じフレームＩＤが制御データのフィールドに記載された「第一の識別子の設定が完了したことを示す信号」を受信した場合（ステップＳ４１，Ｙｅｓ）、または、予め定められた時間が経過した場合には（ステップＳ３１，Ｙｅｓ）、以降、入力部３０による入力を無視し、第一の識別子の通知を行わない。
【００４８】
以上のように、本実施の形態においては、「第一の識別子の通知を要求するための信号」を受信した後に、「第一の識別子の設定が完了したことを通知するための信号」を受信した場合、または、予め定められた有効期限が経過した場合には、以後の「第一の識別子を通知するための信号」の送信開始を指示するための入力を無効とすることとした。これにより、誤入力などによる、利用者の意図しない「第一の識別子を通知するための信号」の送信を防止することができる。
【００４９】
実施の形態７．
つづいて、実施の形態７の通信装置について説明する。図１３は、実施の形態７の通信装置の動作を示すフローチャートである。なお、通信装置の構成については、前述した実施の形態４の図９と同様である。ここでは、前述した実施の形態６と異なる処理について説明する。
【００５０】
本実施の形態の通信装置１は、さらに、ステップＳ２２において「第一の識別子を通知するための信号」を送信するための条件、を追加する。すなわち、受信した「第一の識別子の通知を要求するための信号」のフレームＩＤと同じフレームＩＤが、制御データ中の“対応する「第一の識別子の通知を要求するための信号」のフレームＩＤ”として記述された、他の装置が送信した「第一の識別子を通知するための信号」を受信する前であって（ステップＳ５１，Ｎｏ）、ステップＳ４１，Ｎｏ、ステップＳ３１，Ｎｏ，ステップＳ２１，Ｙｅｓであれば、ステップＳ２２において「第一の識別子を通知するための信号」を送信する。
【００５１】
一方、本実施の形態の通信装置１は、さらに、受信した「第一の識別子の通知を要求するための信号」のフレームＩＤと同じフレームＩＤが、制御データ中の“対応する「第一の識別子の通知を要求するための信号」のフレームＩＤ”として記述された、他の装置が送信した「第一の識別子を通知するための信号」を受信した場合には（ステップＳ５１，Ｙｅｓ）、以降、入力部３０による入力を無視し、第一の識別子の通知を行わない。
【００５２】
以上のように、本実施の形態においては、さらに、「第一の識別子の通知を要求するための信号」を受信した後に、他の装置が送信した上記「第一の識別子を通知するための信号」を受信した場合には、以後の「第一の識別子を通知するための信号」の送信開始を指示するための入力を無効とすることとした。これにより、誤入力などによる、利用者の意図しない「第一の識別子を通知するための信号」の送信を防止することができる。
【００５３】
実施の形態８．
つづいて、実施の形態８における通信システムについて説明する。図１４は、本実施の形態の通信システムの動作を示す図であり、たとえば、図中装置Ａは、実施の形態２に記載の通信装置であり、図中装置Ｂ，Ｃ，Ｄ，Ｅは、実施の形態７に記載の通信装置である。なお、図１４は、一例であり、装置Ａは、実施の形態１に記載の通信装置でもよく、また、装置Ｂ，Ｃ，Ｄ，Ｅは、実施の形態３〜６に記載の通信装置であってもよい。
【００５４】
図１４において、たとえば、電源が投入された（ステップＳ６１）装置Ａは、自装置内のアドレス設定状態を確認後（ステップＳ６２）、「第一の識別子の通知を要求するための信号」を同報する（ステップＳ６３）。
【００５５】
つぎに、上記「第一の識別子の通知を要求するための信号」を受信した（ステップＳ６４−１）装置Ｂは、「第一の識別子を通知するための信号」の送信開始入力をトリガーとして（ステップＳ６５）、「第一の識別子を通知するための信号」を送信する（ステップＳ６６）。このとき、装置Ａは、装置Ｂが送信した「第一の識別子を通知するための信号」を受信し（ステップＳ６７−１）、通知された第一の識別子を記憶し（ステップＳ６９）、「第一の識別子の設定が完了したことを通知するための信号」を送信する（ステップＳ７０）。
【００５６】
一方で、上記「第一の識別子の通知を要求するための信号」を受信した（ステップＳ６４−２）装置Ｃは、装置Ｂが上記で送信した「第一の識別子を通知するための信号」を受信し（ステップＳ６７−２）、「第一の識別子を通知するための信号」の送信開始入力を無効とする（ステップＳ６８）。
【００５７】
また、上記「第一の識別子の通知を要求するための信号」を受信した（ステップＳ６４−３）が、たとえば、通信エラーなどにより装置Ｂが送信した「第一の識別子を通知するための信号」を受信できなかった装置Ｄは、装置Ａが送信した「第一の識別子の設定が完了したことを通知するための信号」を受信し（ステップＳ７１）、「第１の識別子を通知するための信号」の送信開始入力を無効とする（ステップＳ７２）。
【００５８】
また、上記「第一の識別子の通知を要求するための信号」を受信した（ステップＳ６４−４）が、たとえば、通信エラーなどにより装置Ｂが送信した「第一の識別子を通知するための信号」および装置Ａが送信した「第一の識別子の設定が完了したことを通知するための信号」を受信できなかった装置Ｅは、装置Ａが送信した「第一の識別子の通知を要求するための信号」を受信した後、予め定められた時間が経過した時点で（ステップＳ７３）、「第一の識別子を通知するための信号」の送信開始入力を無効とする（ステップＳ７４）。
【００５９】
すなわち、通信システムを上記のように構成することにより、利用者は、わずらわしいアドレス入力の作業を行うことなく、既存の通信装置と同じ第一の識別子を新しい装置に与えることができる。また、誤入力などによる、利用者の意図しない「第一の識別子を通知するための信号」の送信を防止することができる。
【００６０】
実施の形態９．
つづいて、実施の形態９の通信装置について説明する。図１５は、実施の形態９の通信装置の構成例を示す図である。なお、前述した実施の形態１の図１と同様の構成については同一の符号を付してその説明を省略する。ここでは、前述した実施の形態１〜８と異なる処理について説明する。
【００６１】
図１６は、実施の形態９の通信装置の動作を示すフローチャートである。本実施の形態の通信装置１は、第一の識別子を設定する手続き中であることを示すＬＥＤなどの出力部３２を備え、「第一の識別子の通知を要求するための信号」を送信後（ステップＳ３）、制御部２の制御により、第一の識別子を設定する手続き中であることを示す出力表示を開始する（ステップＳ８１）。
【００６２】
その後、ステップＳ４〜Ｓ６の処理により通知された第一の識別子を記憶すると、その後、制御部２の制御により、第一の識別子を設定する手続き中であることを示す出力表示を停止する（ステップＳ８２）。
【００６３】
以上のように、本実施の形態においては、第一の識別子を設定する手続き中である場合に、その旨を出力表示することとした。これにより、利用者は、第一の識別子が設定され、処理が正常に終了したかどうかを判別することができる。
【００６４】
実施の形態１０．
つづいて、実施の形態１０の通信装置について説明する。図１７は、実施の形態１０の通信装置の構成例を示す図である。なお、前述した実施の形態４の図９と同様の構成については同一の符号を付してその説明を省略する。ここでは、前述した実施の形態１〜９と異なる処理について説明する。
【００６５】
図１８は、実施の形態１０の通信装置の動作を示すフローチャートであり、一例として、実施の形態７に対して適用した場合について記載する。本実施の形態の通信装置１は、「第一の識別子を通知するための信号」を送信したことを示すＬＥＤなどの出力部３３を備え、たとえば、「第一の識別子の通知を要求するための信号」を受信すると、実施の形態７と同様の処理で「第一の識別子を通知するための信号」を送信し（ステップＳ２２）、その後、制御部２の制御により、「第一の識別子を通知するための信号」を送信したことを示す出力表示を開始し（ステップＳ９１）、「第一の識別子の設定が完了したことを通知するための信号」の受信待ち状態に移行する（ステップＳ９２，Ｎｏ）。
【００６６】
そして、通信装置１は、送信した「第一の識別子を通知するための信号」に対応した「第一の識別子の設定が完了したことを通知するための信号」を受信すると（ステップＳステップＳ９２，Ｙｅｓ）、「第一の識別子を通知するための信号」を送信したことを示す出力表示を停止する（ステップＳ９３）。
【００６７】
以上のように、本実施の形態においては、「第一の識別子を通知するための信号」を送信してから、これに対応する「第一の識別子の設定が完了したことを通知するための信号」を受信するまでの間、「第一の識別子を通知するための信号」を送信したことを出力表示することとした。これにより、処理が正常に終了したかどうかを判別することができる。
【００６８】
実施の形態１１．
つづいて、実施の形態１１における通信システムについて説明する。図１９および図２０は、本実施の形態の通信システムの動作を示す図であり、たとえば、図中装置Ａは、実施の形態９に記載の通信装置であり、図中装置Ｂは、実施の形態１０に記載の通信装置である。
【００６９】
図１９において、たとえば、電源が投入された（ステップＳ１０１）装置Ａは、自装置内のアドレス設定状態を確認後（ステップＳ１０２）、「第一の識別子の通知を要求するための信号」を同報する（ステップＳ１０３）。そして、第一の識別子を設定する手続き中であることを示す出力表示を開始し（ステップＳ１０７）、その後、「第一の識別子を通知するための信号」の受信待ちに移行する。
【００７０】
一方、上記「第一の識別子の通知を要求するための信号」を受信した（ステップＳ１０４）装置Ｂは、「第一の識別子を通知するための信号」の送信開始入力をトリガーとして（ステップＳ１０５）、「第一の識別子を通知するための信号」を送信する（ステップＳ１０６）。そして、第一の識別子を通知するための信号を送信したことを示す出力表示を開始し（ステップＳ１１２）、その後、「第一の識別子の設定が完了したことを通知するための信号」の受信待ちに移行する。
【００７１】
つぎに、装置Ａでは、「第一の識別子を通知するための信号」を受信すると（ステップＳ１０８）、当該信号に含まれた第一の識別子を記憶し（ステップＳ１０９）、その後、第一の識別子を設定する手続き中であることを示す出力表示を停止する（ステップＳ１１０）。そして、「第一の識別子の設定が完了したことを通知するための信号」を送信する（ステップＳ１１１）。
【００７２】
つぎに、装置Ｂでは、送信した「第一の識別子を通知するための信号」に対応した「第一の識別子の設定が完了したことを通知するための信号」を受信すると（ステップＳ１１３）、その時点で、第一の識別子を通知するための信号を送信したことを示す出力表示を停止する（ステップＳ１１４）。
【００７３】
ここで、上記装置Ａと装置Ｂの出力部の状態を具体的に説明する。たとえば、正常に第一の識別子を設定する処理が完了すると、装置ＡとＢの両方の出力表示が停止する。
【００７４】
また、装置Ｂが装置Ａの送信した「第一の識別子の通知を要求するための信号」を正常に受信できなかった場合、または、装置Ｂが、偶然ほぼ同時に「第一の識別子の通知を要求するための信号」を送信した装置Ａと同等の機能を持つ他の通信装置に応答して「第一の識別子を通知するための信号」を送信し、装置Ａには第一の識別子が設定されていない場合には、装置Ａの出力表示が行われたままの状態で、装置Ｂの出力表示が停止した状態となる。
【００７５】
また、装置Ａが送信した「第一の識別子の通知を要求するための信号」に、装置Ｂと同等の機能を持つ他の通信装置が応答して「第一の識別子を通知するための信号」を送信し、装置Ａには利用者が意図しない第一の識別子が設定された場合には、装置Ａの出力表示が停止した状態となり、装置Ｂの出力表示が行われたままの状態となる。
【００７６】
また、装置Ａが、装置Ｂから送信された「第一の識別子を通知するための信号」を正常に受信できず、装置Ａには第一の識別子が設定されていない場合には、装置ＡとＢの両方の出力表示が行われたままとなる。
【００７７】
以上のように、本実施の形態においては、たとえば、実施の形態９に記載の通信装置と実施の形態１０に記載の通信装置で通信システムを構成することにより、第一の識別子の設定が正しく行われたかどうかを利用者が確認可能となる。
【００７８】
実施の形態１２．
つづいて、実施の形態１２の通信装置について説明する。図２１は、実施の形態１２の通信装置の構成例を示す図である。なお、前述した実施の形態９の図１５と同様の構成については同一の符号を付してその説明を省略する。ここでは、前述した実施の形態１〜１１と異なる処理について説明する。
【００７９】
図２２は、実施の形態１２の通信装置の動作を示すフローチャートである。本実施の形態の通信装置１は、任意の第一の識別子の発生を開始させるための入力部３４と、実際に任意の第一の識別子を発生させる第１の識別子発生部３５と、「任意の第一の識別子を通知するための信号」を送信した後に経過した時間を計測するためのタイマー３６と、を備える。
【００８０】
本実施の形態の通信装置１においては、たとえば、前述した実施の形態９と同様に、第一の識別子を設定する手続き中であることを示す出力表示を開始後（ステップＳ８１）、「第一の識別子を通知するための信号」を受信する前に（ステップＳ１２１，Ｎｏ、ステップＳ５，Ｎｏ）、任意の第一の識別子の発生を開始させるための入力が入力部３４により行われると（ステップＳ１２１，Ｙｅｓ）、第一の識別子発生部３５が任意の第一の識別子を発生し（ステップＳ１２２）、制御部２の制御により「任意の第一の識別子を通知するための信号」を送信する（ステップＳ１２３）。
【００８１】
その後、通信装置１は、タイマー３６を用いて、「任意の第一の識別子を通知するための信号」を送信後の経過時間を計測し、予め定められた時間が経過しても「第一の識別子が重複することを通知するための信号」を受信しない場合には（ステップＳ１２４，Ｎｏ、ステップＳ１２５，Ｙｅｓ）、発生した任意の第一の識別子を記憶し（ステップＳ６）、以降、自装置で発生した第一の識別子を自己の第一の識別子として使用する。
【００８２】
一方、通信装置１は、「任意の第一の識別子を通知するための信号」を送信後、予め定められた時間が経過する前に「第一の識別子が重複することを通知するための信号」を受信した場合には（ステップＳ１２５，Ｎｏ、ステップＳ１２４，Ｙｅｓ）、予め定められた時間内に「第一の識別子が重複することを通知するための信号」を受信しなくなるまで、新たな任意の第一の識別子の発生，「任意の第一の識別子を通知するための信号」の送信、を繰り返し実行する。そして、最終的に、「第一の識別子が重複することを通知するための信号」を受信しなかったときの任意の第一の識別子を記憶し（ステップＳ６）、以降、自装置で発生した第一の識別子を自己の第一の識別子として使用する。
【００８３】
以上のように、本実施の形態においては、任意の第一の識別子を発生する構成を備え、発生した任意の第一の識別子がネットワーク上の他の通信装置の第一の識別子と重複しないことを確認する。そして、重複しないことを確認した後に、任意に発生した第一の識別子を以後の通信に用いることとした。たとえば、ユーザの入力により上記機能を使用するかどうかを決定することにより、新たな通信装置に既存の特定の通信装置と同じ第一の識別子を設定し、新たな通信装置を既存の特定の通信装置と同じグループに属させるか、または、新たなグループを作成し、新たな通信装置を新たなグループに属させるか、をユーザが選択することができる。
【００８４】
実施の形態１３．
つづいて、実施の形態１３の通信装置について説明する。図２３は、実施の形態１３の通信装置の構成例を示す図である。なお、前述した実施の形態１２の図２１と同様の構成については同一の符号を付してその説明を省略する。ここでは、前述した実施の形態１２と異なる処理について説明する。
【００８５】
本実施の形態の通信装置１は、さらに乱数発生部３７を備え、乱数発生部３７が、乱数を第一の識別子発生部３５に入力し、第一の識別子発生部３５が、受け取った乱数に基づいて任意の第一の識別子を発生する。
【００８６】
以上のように、本実施の形態においては、乱数に基づいて任意の第一の識別子を発生させることとした。これにより、発生する任意の第一の識別子はランダムな値となり、第一の識別子が重複する確率が低下するので、第一の識別子の設定に要する時間を短縮することができる。
【００８７】
実施の形態１４．
つづいて、実施の形態１４の通信装置について説明する。図２４は、実施の形態１４の通信装置の構成例を示す図である。なお、前述した実施の形態１２の図２１と同様の構成については同一の符号を付してその説明を省略する。ここでは、前述した実施の形態１２と異なる処理について説明する。
【００８８】
本実施の形態の通信装置１は、伝送路上の信号電圧をデジタル情報に変換するＡＤコンバータ１５の出力を第一の識別子発生部３５に入力し、第一の識別子発生部３５が、ＡＤコンバータ１５の出力の一部または全てのビットを組み合わせることにより、任意の第一の識別子を発生する。伝送路には雑音が存在するため、任意のタイミングでＡＤコンバータ１５によってデジタル情報に変換された伝送路上の信号電圧は、変換タイミングによって不規則に変動する。したがって、ＡＤコンバータ１５の出力の一部または全てのビットを組み合わせて発生した任意の第一の識別子はランダムな値となる。
【００８９】
以上のように、本実施の形態においては、伝送路上の信号電圧をデジタル情報に変換した結果の一部または全てのビットを組み合わせて任意の第一の識別子を発生することとしたので、簡単にランダムな値の任意の第一の識別子を得ることができる。
【００９０】
実施の形態１５．
つづいて、実施の形態１５の通信装置について説明する。図２５は、実施の形態１５の通信装置の構成例を示す図である。なお、前述した実施の形態１の図１と同様の構成については同一の符号を付してその説明を省略する。ここでは、前述した実施の形態１〜１４と異なる処理について説明する。
【００９１】
図２６は、実施の形態１５の通信装置の動作を示すフローチャートである。本実施の形態の通信装置１は、受信した「任意に設定した第一の識別子を通知するための信号」によって通知された、任意に設定した第一の識別子と自己の第一の識別子とを比較するアドレス比較部３８を備え、たとえば、アドレス比較部３８の処理で、任意に設定した第一の識別子と自己の第一の識別子とが一致した場合には（ステップＳ１３１，Ｙｅｓ）、制御部２による制御により、「第一の識別子が重複することを通知するための信号」を送信する（ステップＳ１３２）。
【００９２】
以上のように、本実施の形態においては、通信装置が、自動的に第一の識別子の重複の有無を判断し、第一の識別子が重複することが判明した場合には、その旨を通知する信号を送信することとした。これにより、利用者が第一の識別子が重複しないことを確認する作業を、不要にすることができる。
【００９３】
実施の形態１６．
つづいて、実施の形態１６の通信装置について説明する。図２７は、実施の形態１６の通信装置の動作を示すフローチャートである。なお、通信装置の構成については、前述した実施の形態１５の図２５と同様である。ここでは、前述した実施の形態１５と異なる処理について説明する。
【００９４】
本実施の形態の通信装置１は、通知された第一の識別子と自己の第一の識別子とが一致した場合であっても（ステップＳ１３１，Ｙｅｓ）、他の装置が送信した「任意に設定した第一の識別子を通知するための信号」に対応した「第一の識別子が重複することを通知するための信号」を受信した場合（ステップＳ１４１，Ｙｅｓ）または「第一の識別子の設定が完了したことを通知するための信号」を受信した場合（ステップＳ１４２，Ｙｅｓ）には、「第一の識別子が重複することを通知するための信号」の送信を行わない。
【００９５】
以上のように、本実施の形態においては、他の装置が送信した「第一の識別子が重複することを通知するための信号」を受信した場合に、「第一の識別子が重複することを通知するための信号」の送信を停止することとしたので、「第一の識別子の重複を通知するための信号」が重複して送信されることを防ぐことができ、無用な通信負荷の増加を防止することができる。
【００９６】
実施の形態１７．
つづいて、実施の形態１７における通信システムについて説明する。図２８は、本実施の形態の通信システムの動作を示す図であり、たとえば、図中装置Ａは、実施の形態１２〜１４のいずれか一つに記載の通信装置であり、図中装置Ｂおよび装置Ｃは、実施の形態１５または１６に記載の通信装置である。
【００９７】
図２８において、装置Ａでは、第一の識別子発生部３５が、任意の第一の識別子を発生し（ステップＳ１５１）、発生した任意の第一の識別子を「任意の第一の識別子を通知するための信号」によって他の通信装置に通知する（ステップＳ１５２）。
【００９８】
つぎに、装置Ｂでは、装置Ａが送信した「任意の第一の識別子を通知するための信号」を受信すると（ステップＳ１５３−１）、通知された任意の第一の識別子と自己の第一の識別子とをアドレス比較部３８で比較し（ステップＳ１５４−１）、たとえば、通知された任意の第一の識別子と自己の第一の識別子が重複していることを検出した場合には（ステップＳ１５５−１）、「第一の識別子が重複することを通知するための信号」を送信する（ステップＳ１５６）。
【００９９】
一方、装置Ｃでは、装置Ｂと同様に装置Ａから通知された任意の第一の識別子が自己の第一の識別子と重複していることを検出するが（ステップＳ１５３−２，Ｓ１５４−２，Ｓ１５５−２）、装置Ｂが送信した「第一の識別子が重複することを通知するための信号」を受信したため（ステップＳ１５７−２）、「第一の識別子が重複することを通知するための信号」を送信しない。
【０１００】
つぎに、装置Ｂが送信した「第一の識別子が重複することを通知するための信号」を受信した（ステップＳ１５７−１）装置Ａでは、新たな任意の第一の識別子を発生し（ステップＳ１５８）、「任意の第一の識別子を通知するための信号」により新たな任意の第一の識別子を他の通信装置に通知する（ステップＳ１５９）。
【０１０１】
つぎに、装置Ｂおよび装置Ｃでは、装置Ａが送信した「任意の第一の識別子を通知するための信号」を受信し（ステップＳ１６０）、通知された新たな任意の第一の識別子と自己の第一の識別子との比較を行う（ステップＳ１６１）。そして、新たな任意の第一の識別子が自己の第一の識別子と重複しないことを確認した（ステップＳ１６２）装置Ｂおよび装置Ｃでは、上記「任意の第一の識別子を通知するための信号」に対応した信号の送信は行わない。
【０１０２】
その後、装置Ａでは、「任意の第一の識別子を通知するための信号」を送信した後、予め定められた時間内に「第一の識別子が重複することを通知する信号」を受信しない場合（ステップＳ１６３）、当該任意の第一の識別子を記憶し（ステップＳ１６４）、以後の通信にこれを使用する。
【０１０３】
以上のように、本実施の形態においては、実施の形態１２〜１４のいずれか一つに記載の通信装置と、実施の形態１５または１６に記載の通信装置で通信システムを構築することとしたので、他の装置と重複しない第一の識別子を、自動的に新たな装置に与えることができる。
【産業上の利用可能性】
【０１０４】
以上のように、本発明にかかる通信装置および通信システムは、サブネットアドレスを付与する場合の技術として有用であり、特に、アドレスが設定されていない通信装置に対して既存の通信装置と同じサブネットアドレスを付与したい場合や、また、新たなグループを構築しアドレスが設定されていない通信装置に対して他の通信装置と重複しないサブネットアドレスを付与したい場合に適している。
【図面の簡単な説明】
【０１０５】
【図１】実施の形態１の通信装置の構成例を示す図である。
【図２】通信に使用するアドレスの形態の一例を示す図である。
【図３】通信に使用するデータフレームの形態の一例を示す図である。
【図４】制御情報を伝送する際のデータフレームのフレームコード以降のフィールドの一例を示す図である。
【図５】実施の形態１の通信装置の動作を示すフローチャートである。
【図６】実施の形態２の通信装置の動作を示すフローチャートである。
【図７】実施の形態３の通信装置の構成例を示す図である。
【図８】実施の形態３の通信装置の動作を示すフローチャートである。
【図９】実施の形態４の通信装置の構成例を示す図である。
【図１０】実施の形態４の通信装置の動作を示すフローチャートである。
【図１１】実施の形態５の通信装置の動作を示すフローチャートである。
【図１２】実施の形態６の通信装置の動作を示すフローチャートである。
【図１３】実施の形態７の通信装置の動作を示すフローチャートである。
【図１４】実施の形態８の通信システムの動作を示す図である。
【図１５】実施の形態９の通信装置の構成例を示す図である。
【図１６】実施の形態９の通信装置の動作を示すフローチャートである。
【図１７】実施の形態１０の通信装置の構成例を示す図である。
【図１８】実施の形態１０の通信装置の動作を示すフローチャートである。
【図１９】実施の形態１１の通信システムの動作を示す図である。
【図２０】実施の形態１１の通信システムの動作を示す図である。
【図２１】実施の形態１２の通信装置の構成例を示す図である。
【図２２】実施の形態１２の通信装置の動作を示すフローチャートである。
【図２３】実施の形態１３の通信装置の構成例を示す図である。
【図２４】実施の形態１４の通信装置の構成例を示す図である。
【図２５】実施の形態１５の通信装置の構成例を示す図である。
【図２６】実施の形態１５の通信装置の動作を示すフローチャートである。
【図２７】実施の形態１６の通信装置の動作を示すフローチャートである。
【図２８】実施の形態１７の通信システムの動作を示す図である。
【符号の説明】
【０１０６】
１  通信装置
２  制御部
３  制御インターフェース
４  伝送路
５  フレーム生成部
６  上位インターフェース
７  送信回路
８  変調器
９  ＤＡコンバータ
１０  送信フィルタ
１１  送信アンプ
１２  受信回路
１３  受信アンプ
１４  受信フィルタ
１５  ＡＤコンバータ
１６  復調器
１７  フレーム解析部
１８  アドレス記憶部
３０，３４  入力部
３１，３６  タイマー
３２，３３  出力部
３５  第一の識別子発生部
３７  乱数発生部
３８  アドレス比較部
【図１】
2008005339.tif 000003
【図２】
2008005339.tif 000004
【図３】
2008005339.tif 000005
【図４】
2008005339.tif 000006
【図５】
2008005339.tif 000007
【図６】
2008005339.tif 000008
【図７】
2008005339.tif 000009
【図８】
2008005339.tif 000010
【図９】
2008005339.tif 000011
【図１０】
2008005339.tif 000012
【図１１】
2008005339.tif 000013
【図１２】
2008005339.tif 000014
【図１３】
2008005339.tif 000015
【図１４】
2008005339.tif 000016
【図１５】
2008005339.tif 000017
【図１６】
2008005339.tif 000018
【図１７】
2008005339.tif 000019
【図１８】
2008005339.tif 000020
【図１９】
2008005339.tif 000021
【図２０】
2008005339.tif 000022
【図２１】
2008005339.tif 000023
【図２２】
2008005339.tif 000024
【図２３】
2008005339.tif 000025
【図２４】
2008005339.tif 000026
【図２５】
2008005339.tif 000027
【図２６】
2008005339.tif 000028
【図２７】
2008005339.tif 000029
【図２８】
2008005339.tif 000030